(57)【要約】  本発明は、電気信号を、１つの面（３１）から、この面と反対側にある別の面（３２）へ伝達する、ガラス・金属フィードスルーに関し、ガラス・金属フィードスルーは、ガラス・プラグ（３）、ガラス・プラグ（３）を貫通する、金属ピン（４、５）、および、ガラス・プラグ（３）を取り囲む、金属部分（２）を備える。本発明は、フィードスルーは、複数のピン（４，５）のうち、第一のピンと部品（２）との間の電気伝導性の連結手段を含み、連結手段は、第一のピン（４）と部品（２）に、事前にロウ付けされて形成されること、で特徴付けられる。
2009515134.tif 000002
【特許請求の範囲】
【請求項１】
ガラス・金属フィードスルーであって、ひとつの面（３１）から、前記ひとつの面（３１）の反対側にある別の面（３２）へ電気信号を伝達し、
ガラス・プラグ（３）と、
２つの電気伝導性を持つ金属ピン（４、５）であって、前記電気信号を伝達し、前記ガラス・プラグ（３）を貫通し、前記ガラス・プラグ（３）に固定され、前記プラグ（３）の前記互いに反対側の２つの面（３１、３２）から突出する、２つの電気伝導性を持つ金属ピン（４、５）と、
電気伝導性を持つ金属部分（２）であって、前記プラグ（３）の前記互いに反対側の２つの面（３１、３２）の間で、前記プラグ（３）を取り囲む、電気伝導性を持つ金属部分（２）と、
を備える、ガラス・金属フィードスルーにおいて、
さらに、
前記プラグの底の第一の面（３１）に配置されて、前記２つの金属ピン（４、５）のうちの第一の金属ピンと前記金属部分（２）との間を連結する、電気伝導的連結手段を備え、
前記電気伝導的連結手段は、前記第一のピン（４）、および、前記金属ピン（２）に固定されて、前記第一のピン（４）と前記金属ピン（２）との間の電気伝導を適切にもたらす、ロウ付けされた予備成形物（７）によって形成されている、
ことを特徴とする、ガラス・金属フィードスルー。
【請求項２】
前記ロウ付けされた予備成形物（７）は、前記ガラスプラグ（３）の前記第一の面（３１）で前記第一のピン（４）を取り囲む、ワッシャーの形状をなす、ことを特徴とする請求項１に記載のガラス・金属フィードスルー。
【請求項３】
前記ロウ付けされた予備成形物（７）が配置される、前記プラグ（３）の第一の面（３１）は、平面で形成されている、ことを特徴とする請求項１−２のいずれか１項に記載のガラス・金属フィードスルー。
【請求項４】
前記ロウ付けされた予備成形物（７）は、前記第一の面（３１）上の前記第一のピン（４）を取り囲む、スポット面を形成する、ことを特徴とする請求項１−３のいずれか１項に記載のガラス・金属フィードスルー。
【請求項５】
前記ロウ付けされた予備成形物（７）は、０．３ｍｍ以上で０．５ｍｍ以下の厚さを持つ、ことを特徴とする請求項１−４のいずれか１項に記載のガラス・金属フィードスルー。
【請求項６】
前記ロウ付けされた予備成形物（７）は、ガラスの融点と前記ガラス・プラグの金属部の最大封止温度との間にある、液相線温度を有する、ロウ付け金属、あるいは、ロウ付け金属合金からなる、ことを特徴とする請求項１−５のいずれか１項に記載のガラス・金属フィードスルー。
【請求項７】
前記ロウ付けされた予備成形物（７）は、銅・銀合金、および、銅・銀・ニッケル合金から選択された、ロウ付け金属合金からなる、ことを特徴とする請求項１−６のいずれか１項に記載のガラス・金属フィードスルー。
【請求項８】
前記ピン（４、５）は、同一である、ことを特徴とする、請求項１−７のいずれか１項に記載のガラス・金属フィードスルー。
【請求項９】
前記ピン（４、５）は、前記ピン（４、５）の長さに沿って一定の断面積を持つ、ことを特徴とする、請求項１−８のいずれか１項に記載のガラス・金属フィードスルー。
【請求項１０】
電子点火起動装置であって、
点火チャージ（２２、２３）を含んだ、キャップ（６）と、
絶縁印刷回路基板（１５）であって、第一の面（１８）を備え、前記第一の面（１８）上に、前記点火チャージ（２２、２３）を加熱する、加熱抵抗部材（２１）を備え、前記加熱部材は、前記チャージで覆われ、第二の面（１９）は、前記第一の面（１８）と反対側にある、絶縁印刷回路基板（１５）と、を備えた、電子点火起動装置において、
さらに、
ガラス・金属フィードスルー（１）であって、請求項１−９のいずれかに記載され、前記プラグ（３）の前記第二の面（３２）上の前記絶縁印刷回路基板（１５）の前記第二の面（１９）を支持し、前記プラグ（３）の前記第一の面（３１）の反対側にあって、前記キャップ（６）を閉じる、ガラス・金属フィードスルー（１）と、
前記抵抗過熱部材（２１）に電気的に接続されている、前記２つの金属ピン（４、５）と、を備える、ことを特徴とする電子点火起動装置。
【請求項１１】
請求項１−９のいずれか１項に記載の、ガラス・金属フィードスルーを製造する方法であって、
ロウ付けされた予備成形物（７）は、前記ピン（４）を通す、穴（７１）を備え、前記ピン（４）の周りに配置され、
前記ガラス（３）は、前記金属部（２）の中に封止され、ロウ付けされた予備成形物（７）は、単一のオーブン工程で、前記金属部（２）と前期第一のピン（４）とにロウ付けされる、
ことを特徴とする、ガラス・金属フィードスルーを製造する方法。
【発明の詳細な説明】
【技術分野】
【０００１】
本発明は、電気信号をひとつの面からこれと反対側にある別の面へ電気信号を伝達する、ガラス・金属フィードスルー、それを含む電気的点火起動装置、および、その製造方法に関する。
【０００２】
本発明の適用分野のひとつは、たとえば、エアバッグ、あるいは、安全ベルトの事前張力発生器のような、自動車の搭乗者を保護する装置を駆動する、ガス発生器を起動するのに使用する、電気的点火起動装置に関する。
【背景技術】
【０００３】
電気的点火起動装置において、従来、フィードスルーは、金属部で取り囲まれたガラス・プラグ、および、プラグによって互いに絶縁された、外部から信号を取り込む２つのピンを備えていた。電気信号は、プラグによって閉じられる、起動装置の仕切りの中にある、点火チャージ（装薬、火薬、爆薬など）と接触して過熱部材に供給されて、加熱部材がチャージを点火する。フィードスルーは、密閉された点火チャージを含む、仕切りを閉じるとともに、作動圧力と環境的な負荷（たとえば、気象条件、および／あるいは、機械的負荷）に耐えなければならない。加えて、静電放電に耐えるように貢献するために、２つのピンのうち１つのピンは、プラグを取り囲む金属部に接続されることによって、電気的なグランドに接続される（接地される）。それ故、このピンは、同軸ピンとして参照され、ガラス・フィールドスルーは、絶縁、密閉封止、および、同軸ガラス・フィールドスルーとして参照される。
【０００４】
特許文献１は、１つのピンは、ガラス・プラグを通過して、もう一方のピンは、直接、金属部に接着されている、ガラス・フィールドスルーを記載している。このガラス・フィールドスルーの欠点は、２つのピンが同一のものではないことである。加えて、その製造において、複数の工程を必要とする。すなわち、最初に、プラグと金属部に通しピンを取付けて、引き続いて、同軸ピンを金属部の下に溶接する。このフィールドスルーでは、ピンは、非対称に作製される必要があり、その結果、同軸ピンの設計を複雑にする。
【０００５】
特許文献２は、半田を塗布した被覆部材は、２つのピンと共にガラス・ストッパー内に封止される、フィールドスルーを記載している。半田を塗布した被覆部材によって、その被覆部材が囲む、ピンと、ガラス・ストッパーを囲む、金属スリーブとの間の伝導接続が得られる。しかしながら、このフィールドスルーは、ガラス・ストッパーとの組立が複雑になる、欠点を持つ。加えて、このフィールドスルーでは、被覆部材がそれに付加されるために、特別な形状のガラス・ストッパーを使用する必要がある。
【０００６】
この発明は、単純で安価に実施することによって、従来技術の欠点を軽減する、ガラス・金属フィードスルー、電気的点火起動装置、および、フィードスルーを製造する方法を提供しようとしている。
【特許文献１】米国特許第６，２７４，２５２Ｂ号明細書
【特許文献２】米国特許第６，７５５，６７０Ｂ号明細書
【発明の開示】
【０００７】
この目的のために、第一の側面として、本発明は、ひとつの面からこれと反対側のもうひとつの別の面へ電気信号を伝達する、ガラス・金属フィードスルーを提供する。このガラス・金属フィードスルーは、ガラス・プラグ、信号を伝播し、ガラス・プラグを貫通してこのガラス・プラグに固定され、プラグの互いに反対側にある２つの面から突出する、２つの電気伝導性を持つ金属ピン、プラグの互いに反対側にある２つの面の間でガラス・プラグを取り囲む、電気伝導性を持つ金属部、を備えており、さらに、プラグの底にある第一の面に配置され、２つの金属ピンの１つ（第一のピン）と金属部分の間に電気伝導性を持つ連結手段を備え、および、この電気伝導性を持つ連結手段は、第一のピンと金属部に固定して、第一のピンと金属部間の電気伝導に適した、ロウ付けされた予備成形物で形成されている、ことを特徴とする。
【０００８】
本発明は、特に、第一の同軸ピンが直接金属部分にロウ付けされることによって、より再現性が良いという利点を提供する。本発明は、前述の特許文献２で要求されているような、ガラス・プラグに正確で相補的な形状を有する、コーティングされた中間被覆部品の必要性を排除して、第一の同軸ピンと金属部との間の接続を簡略に提供する。
【０００９】
第二の側面として、本発明は、点火チャージを含んだキャップ、チャージに覆われて、点火チャージを過熱する抵抗加熱部材を面上に持つ、第一の面、および、第一の面と反対側にある、第二の面、を持つ絶縁印刷回路基板を備え、さらに、絶縁印刷回路基板の第二の面をプラグの（プラグの第一の面と反対側にある）第二の面に支持して、キャップを閉じる、上述のガラス・金属フィードスルー、抵抗加熱部材に電気的に接属された、２つの金属ピン、を備えた、ことを特徴とする、電気的点火起動装置を提供する。
【００１０】
第三の側面として、本発明は、前記ロウ付けされた予備成形物は、第一ピンが通過する穴を持ち、第一ピンを取り囲んでは位置され、ガラス・プラグは、金属部で封止されて、前記ロウ付けされた予備成形物は、オーブンを通過する単一工程で、金属部と第一のピンにロウ付けされる、ことを特徴とする、上述のガラス・金属フィードスルーを製造する方法を提供する。
【発明を実施するための最良の形態】
【００１１】
図１−３において、絶縁され、密閉封止された、同軸ガラスフィード１は、真空気密を保ってガラス・プラグ３を取り囲む、外部金属部２を備えている。例として、金属部２は、円形チューブの部分の形状をなし、通常、鳩目金として呼ばれている。ガラス・プラグ３は、底面である第一の面３１と、第一の面から離れている、上面である第二の面３２を備えている。金属部２は、プラグ３の側面３３を取り囲み、すなわち、側面は、第一の面３１と第二の面３２を相互接続している。例として、金属部２とガラス・プラグ３は、双方とも、同じ、面３１と面３２との間で規定される、高さｈを持っている。
【００１２】
プラグ３は、２つの穴３４、３５を持っており、それぞれ、第一の面３１から第二の面３２に通過している。２つのピン、すなわち、第一のピン４、第二のピン５は、それぞれ、穴３４、３５に沿って、密封封止を保って通過して、底面３１から突出した底の長さを持っている。この底の長さは、上面３２から突出している長さよりも長い。図に示された実施態様では、２つのピン４、５は、完全に丸い円柱形であり、厳密に同一である。
【００１３】
図４に示されるように、組立てられたフィードスルー１が電気点火起動装置１００に取付けられたとき、上面である、第二の面３２は、起動装置を点火する、点火チャージ２２、２３に向かって対面する面である。一方、底面である、第二の面３１は、その面が外側に向かっている面であるべきである。点火チャージ２２、２３は、上面である、第二の面３２と、金属部２の外側の面２５の周りにクランプされている、金属キャップ６との間に囲まれている。このように、フィードスルー１は、キャップ６の開放端を閉じて、キャップに固定されている。フィードスルー１の底面である、第二の面３１とキャップ６の底部は、モールド（たとえば、プラスチック材料）で覆って囲むことを選択することができる。このようにモールドで覆うことによって、点火装置を発電機に合わせることができる。
【００１４】
上面である、第二の面３２上で、プラグ３は、ピン４、５の２つの上端４ａ、５ａを持つ、電気絶縁基板１５を備えている。ピン４、５は、電気絶縁基板１５を貫通している。基板１５の上面である、第一の面１８は、面１８を超えて突出した、ピン４、５の２つの端４ａ、５ａに印刷伝導体配線で接続された、抵抗加熱部材２１を備えた、印刷回路を持っている。抵抗加熱部材２１の上面２４は、点火チャージ２２に接触して、点火チャージ２２で覆われている。点火チャージ２２は、それ自身、点火チャージ２３によって覆われている。上面である、第一の面１８と対面する反対側には、電気絶縁基板１５の底面である、第二の面１９が、フィードスルー１の上面である、第二の面３２に対面している。
【００１５】
点火チャージ２２、２３に向かって対面する、ピン４、５の２つの第一の端４ａ、５ａから離れた、ピン４、５の２つの底の端４ｂ、５ｂは、外部と電気的に接続されて、電気信号が部材２１を熱するように送られて、点火チャージ２２、２３を点火する。
【００１６】
本発明によれば、金属部２を第一のピン４に電気的に接続し、電気伝導性を持つ、ロウ付けされた予備成形物７は、プラグ３の底面である、第一の面３１に配置される。一方、第二のピン５は、第一のピン４と電気的に絶縁を保ったままである。
【００１７】
たとえば、ロウ付けされた予備成形物７は、ガラス・プラグ３の第一の面３１上でピン４を取り囲む、ワッシャーの形状をなしている。
【００１８】
ロウ付けされた予備成形物７の寸法は、第一の同軸ピン４と金属部２の内側の面との間の距離の関数、および、ピン４、５の直径の関数として選択される。ロウ付けされた予備成形物７の外側の直径は、ロウ付けされた予備成形物７と金属部２との初期接触を提供する。ロウ付けされた予備成形物７の内側の直径によって、簡単に組立てることができるように、スルー・ホール７１を通して、ロウ付けされた予備成形物７を第一のピン４にねじ込んで、第一のピン４に沿って滑らせることができる。
【００１９】
例として、底面３１に垂直な垂直方向に測定された、ロウ付けされた予備成形物７の厚さは、良好な品質のロウ付け接続を得るため、０．３ｍｍ以上、および、０．５ｍｍ以下である。
【００２０】
ロウ付けされた予備成形物７をその面上に持つ、ガラス・プラグ２の第一の面３１は、平面として形成される。これにより、ピン４と金属部２との電気的な接続を得るために調整するために、ガラス・プラグ３の特定の形状に合わせる、一切の必要性を回避することが可能になる。
【００２１】
ロウ付けされた予備成形物７は、第一の面３１上のピン４を取り囲む、スポット面を形成する。
【００２２】
ロウ付けされた予備成形物７は、金属、あるいは、金属合金からなる。ロウ付けされた予備成形物７の材料は、その液相線温度、すなわち、その温度でその材料の固化（凝固）が始まる温度の関数として、あるいは、その固相線温度、すなわち、その温度でその材料の溶け始める温度の関数として、選択される。ロウ付けされた予備成形物７は、金属部２のガラス・プラグを封止する最高温度と、それぞれ、プラグ３のガラスの液相線温度、および、固相線温度との間の液相線温度、および、固相線温度を持つ、金属、あるいは、金属合金からなる。ロウ付けされた予備成形物７の材料は、ピン４の金属と金属部２の金属に対する、その濡れ性の関数として選択される。例として、ロウ付けされた予備成形物は、銅銀合金、および、銅銀ニッケル合金から選択される、ロウ付け金属合金、からなる。
【００２３】
このように、上述のガラス・金属フィードスルーを製造する方法は、実質上、簡便で、工程時間が短く、そして、安価なものになっている。フィードスルー１の部品２、３、４、５、および、７は、グラファイトからなる通常の冶具の中で、当初、組み上げられている。グラファイトからなる冶具は、第一のピン４を同軸上に囲んだ、ロウ付けされた予備成形物７を受けるように調整してある。スポット面の深さは、組立工程中のガラス・プラグ３のすべてのアンバランスを避けるように製造してある。
【００２４】
金属部２に対してガラス・プラグ３を封止する方法は、圧縮タイプのものである。２つのピン４、５は、ガラス・プラグ３に封止されている。ロウ付けされた予備成形物７は、選択した封止材料のタイプに適合させた温度プロファイルを使用して、オーブンをただ一回通過して、同軸ピン４と金属部２にロウ付けされている。
【００２５】
同一の円柱形のピンと共に使用する、起動装置１００の点火チャージ２２、２３に向かって対面する面である、上面３２と対面して反対側にある、内側の面３１上に、ロウ付けされた予備成形物７を配置することによって、フィードスルー１の製造中に部品が混合するすべての危険を避ける。
【図面の簡単な説明】
【００２６】
【図１】本発明のフィードスルーの、展開斜視図である。
【図２】組立てた状態の、図１に示したフィードスルーの斜視図である。
【図３】組立てた状態の、図１に示したフィードスルーを下から見た斜視図である。
【図４】図１−３に示したフィードスルーをその中に備えた、電気的点火起動装置の縦方向断面図である。
【図１】
2009515134.tif 000003
【図２】
2009515134.tif 000004
【図３】
2009515134.tif 000005
【図４】
2009515134.tif 000006
【国際調査報告】
2009515134.tif 000007
2009515134.tif 000008
2009515134.tif 000009